(57)【要約】【課題】ダイレクトメール自体は個人毎に変更しなくても、個人毎に合わせた内容の情報をそれぞれの個人に提供することができ、効率的かつコストも抑えた形で個人に合わせた広告サービス等の情報を提供することができる読取表示システムとする。【解決手段】ダイレクトメール５に付された読取コード６と、読取コード６を読み取って情報を取り込む読取手段３と、読取手段３で読み取った情報に基づいて表示内容を決定するメイン手段１と、メイン手段１で決定された表示内容を表示するブラウザ手段４と、を有する読取表示システムであって、読取コード６は、個人の趣向パターンに基づいて個人に紐付けられた表示内容の情報を指定するように構成されている。【選択図】図１
2020071796.tif 000002
【特許請求の範囲】
【請求項１】
ダイレクトメールに付された読取コードと、
該読取コードを読み取って情報を取り込む読取手段と、
該読取手段で読み取った前記情報に基づいて表示内容を決定するメイン手段と、
該メイン手段で決定された表示内容を表示するブラウザ手段と、
を有する読取表示システムであって、
前記読取コードは、個人の趣向パターンに基づいて該個人に紐付けられた表示内容の情報を指定するように構成されたことを特徴とする読取表示システム。
【請求項２】
前記読取コードは、ＱＲコード（登録商標）であることを特徴とする請求項１に記載の読取表示システム。
【請求項３】
前記表示内容は、前記個人のＷｅｂ閲覧履歴とネットにおける購入履歴を参照して、前記個人の趣向パターンを特定して決定するように構成されていることを特徴とする請求項１又は２に記載の読取表示システム。
【請求項４】
前記表示内容は、前記個人の趣向パターンに基づいて選択された複数のコンテンツを組み合わせて表示する内容となっていることを特徴とする請求項１乃至３の何れか一項に記載の読取表示システム。
【請求項５】
前記メイン手段は、前記読取コードを読み取って表示された前記表示内容を閲覧した履歴を記憶しておき、当該閲覧履歴に基づいて、前記個人の前記表示内容を更新するように構成されていることを特徴とする請求項１乃至４の何れか一項に記載の読取表示システム。
【発明の詳細な説明】
【技術分野】
【０００１】
この発明は、ダイレクトメールに付した読取コードを読み取ることで所定内容の表示物が表示される読取表示システムに関する。
【背景技術】
【０００２】
従来、ダイレクトメール等の発送をオンラインで発注するシステムとしては、例えば下記特許文献１に記載されたものが知られている。
【０００３】
特許文献１のシステムでは、顧客情報データベース等の送信先リストに、各顧客の氏名、住所等が格納されており、当該氏名と住所に対してダイレクトメール等の発送する処理を行うようになっている。
【先行技術文献】
【特許文献】
【０００４】
【特許文献１】特開２００７−１０２３６４号公報
【発明の概要】
【発明が解決しようとする課題】
【０００５】
しかしながら、発送したダイレクトメールは、ほぼ同じものが全ての顧客に送られることが多く、送られた個人によっては不要な情報が載せられたダイレクトメールを受け取る場合があった。また、このような不具合を回避するために個人それぞれに合わせたダイレクトメールを作成しようとすると、手間やコストが掛かるため、難しい問題となっていた。
【０００６】
この発明はこのような問題に鑑みてなされたものであり、ダイレクトメールに個人の趣向パターンに合わせて作成された読取コードを付すことで、当該読取コードを読み取って個人用にカスタマイズされた内容の情報を表示することができ、その結果、ダイレクトメール自体は個人毎に変更しなくても、個人毎に合わせた読取コードを付すだけで、個人毎に合わせた内容の情報をそれぞれの個人に提供することができ、効率的かつコストも抑えた形で個人に合わせた広告サービス等の情報を提供することができる読取表示システムを提供することを課題としている。
【課題を解決するための手段】
【０００７】
かかる課題を解決するために、請求項１の発明は、ダイレクトメールに付された読取コードと、該読取コードを読み取って情報を取り込む読取手段と、該読取手段で読み取った前記情報に基づいて表示内容を決定するメイン手段と、該メイン手段で決定された表示内容を表示するブラウザ手段と、を有する読取表示システムであって、前記読取コードは、個人の趣向パターンに基づいて該個人に紐付けられた表示内容の情報を指定するように構成された読取表示システムとしたことを特徴とする。
【０００８】
また、請求項２の発明は、請求項１に記載の構成に加えて、前記読取コードは、ＱＲコード（登録商標）である読取表示システムとしたことを特徴とする。
【０００９】
また、請求項３の発明は、請求項１又は２に記載の構成に加えて、前記表示内容は、前記個人のＷｅｂ閲覧履歴とネットにおける購入履歴を参照して、前記個人の趣向パターンを特定して決定するように構成されている読取表示システムとしたことを特徴とする。
【００１０】
また、請求項４の発明は、請求項１乃至３の何れか一項に記載の構成に加えて、前記表示内容は、前記個人の趣向パターンに基づいて選択された複数のコンテンツを組み合わせて表示する内容となっている読取表示システムとしたことを特徴とする。
【００１１】
また、請求項５の発明は、請求項１乃至４の何れか一項に記載の構成に加えて、前記メイン手段は、前記読取コードを読み取って表示された前記表示内容を閲覧した履歴を記憶しておき、当該閲覧履歴に基づいて、前記個人の前記表示内容を更新するように構成されている読取表示システムとしたことを特徴とする。
【発明の効果】
【００１２】
請求項１の発明によれば、ダイレクトメールに個人の趣向パターンに合わせて作成された読取コードを付すことで、当該読取コードを読み取って個人用にカスタマイズされた内容の情報を表示することができる。その結果、ダイレクトメール自体は個人毎に変更しなくても、個人毎に合わせた読取コードを付すだけで、個人毎に合わせた内容の情報をそれぞれの個人に提供することができ、効率的かつコストも抑えた形で個人に合わせた広告サービス等の情報を提供することができる。
【００１３】
請求項２の発明によれば、読取コードとしてＱＲコード（登録商標）を付すことで、多くの情報を小さなコードに入れ込むことができ、より効率的に個人毎に合わせた内容の情報をそれぞれの個人に提供することができる。
【００１４】
請求項３の発明によれば、個人のＷｅｂ閲覧履歴とネットにおける購入履歴を参照して、個人の趣向パターンを特定して表示内容を決定することで、より詳細な情報を得た上で個人毎に合わせた内容の情報をそれぞれの個人に提供することができる。
【００１５】
請求項４の発明によれば、表示内容が、個人の趣向パターンに基づいて選択された複数のコンテンツを組み合わせて表示する内容となっていることで、より個人毎に合わせた内容の情報をそれぞれの個人に提供することができる。
【００１６】
請求項５の発明によれば、読取コードを読み取って表示された表示内容を閲覧した履歴を記憶して、個人の表示内容を更新することで、個人毎の趣向パターンをさらに特定した上で、表示内容を決定することができ、さらに個人毎に合わせた内容の情報をそれぞれの個人に提供することができる。
【図面の簡単な説明】
【００１７】
【図１】この発明の実施の形態に係る読取表示システムの機能構成を示すブロック図である。
【発明を実施するための形態】
【００１８】
以下、この発明の実施の形態について説明する。
【００１９】
図１は、この発明の実施の形態に係る読取表示システムの機能構成を概念的に示すブロック図である。
【００２０】
まずは、この実施の形態の読取表示システムの基本構成について、図１を用いて説明する。
【００２１】
なお、この出願において、「ダイレクトメール」とは発送物を郵便局や宅配業者等の配達員が人手を用いて配布するものと、電子メール等の通信手段で発送物を電子データとして配布するものの、双方を含む概念であるとする。
【００２２】
図１に示すように、この実施の形態に係る読取表示システムでは、メイン手段１と、端末２と、読取コード作成手段７とが、通信網（例えばインターネット）を介して接続されている。
【００２３】
また、この実施の形態の読取表示システムは、サーバ装置等のメイン手段１がダイレクトメール５の発送相手である各個人のインターネット上での購買履歴やＷｅｂ閲覧履歴、特定のサイトへのアクセス回数、アクセス時間等を参照し、それらをスコアリングして各個人の趣向パターンを解析して、個人毎に趣向パターンを踏まえた表示内容を作成するようになっている。また、メイン手段１は、それらの表示内容をすぐに表示できるように、これらの内容を組み合わせた頁を表示するように作られた読取コード６を読取コード作成手段７に作成させるようになっている。
【００２４】
この読取コード作成手段７は、メイン手段１からの指示を受けて、カメラ、スキャナ、リーダ等でスキャンすると読取コード６毎の表示内容を表示させる頁に推移させるＵＲＬを表示させる読取コード６を作成するものである。この実施の形態では、読取コード６として、より複雑で細かい設定のできる二次元バーコードを作成するように構成されており、特にここではＱＲコード（登録商標）を作成するように構成されている。これらの読取コード６は、個人毎に保存されており、ダイレクトメール５作成時に個人毎にダイレクトメール５に異なる読取コード６を印刷するようになっている。
【００２５】
ダイレクトメール５は、この読取コード６を付して郵送又は電子メールで発送されるものであり、各個人に異なる読取コード６を付して送付するようになっている。ダイレクトメール５が送付された個人は手元のスマホ等の端末２に設けられたＱＲコード（登録商標）リーダ等の読取手段３で当該読取コード６をスキャンすると、メイン手段１からその読取コード６に合わせた表示内容の頁のＵＲＬが提供され、端末２のブラウザ手段４で表示するようになっている。また、このとき当該表示内容及びその後当該個人の閲覧履歴、購入履歴、各頁に対する滞在時間等は読取コード６に対して記憶され、メイン手段１において更新されて保存されている。そして、次にダイレクトメール５を送付するとなったときに、更新された情報を基に表示内容が決定されるようになっている。
【００２６】
なお、ダイレクトメール５に付された読取コード６は個人の趣向パターンに合わせて作成された個人毎に異なるもの（個人毎に専用のもの）であれば、表示内容を特定するものでなくても良い。すなわち、個人毎に作成された読取コード６をダイレクトメール５が届いた日に読み込むと、メイン手段１が当該日に行われているバーゲンセールを告知した方が良いと判断して、当該日にバーゲンセールをやっていることを知らせる内容を含む頁を表示し、後日バーゲンセールが終了した後で同じ読取コード６を読み込むと、メイン手段１がバーゲンセールのお知らせを除いて、個人の趣向パターンに沿った異なるコンテンツを含む頁を表示する、というように日にちや種々の事情に応じて同じ読取コード６から異なる内容の頁を表示するようになっていても良い。また、履歴等の蓄積によって個人の趣向パターンが変化したとメイン手段１が判断した場合には、表示する内容をまた異ならせて、変化した趣向パターンに合わせた内容の頁を表示するようになっていても良い。また、住所や氏名に変更があったときにも、当該変更に合わせて表示内容を変化させるようにしても良い。
【００２７】
また、逆に読取コード６の表示内容が、読取コード６毎に特定されるようになっていても良い。この場合には、ダイレクトメール５に付された読取コード６はいつ読み込んでも同じ表示内容の頁に飛ぶようになっており、趣向パターンの変化やバーゲン情報等の反映後の表示内容の変化は、次のダイレクトメール５に付される更新後の読取コード６で行われるようになる。
【００２８】
次に、この実施の形態の読取表示システムを用いて個人毎の読取コード６を付したダイレクトメール５の発送を行い、ダイレクトメール５を受け取った各個人が読取コード６を使用して次に閲覧したり購入したりした履歴によっての行動を基に再び個人毎の読取コード６を作成する際の流れについて、図１を用いて説明する。
【００２９】
この実施の形態の読取表示システムでは、サーバ装置等のメイン手段１がダイレクトメール５の発送相手である各個人のインターネット上での購買履歴やＷｅｂ閲覧履歴、特定のサイトへのアクセス回数、アクセス時間等を参照し、それらをスコアリングして各個人の趣向パターンを解析して、個人毎に趣向パターンを踏まえた表示内容を作成している。また、メイン手段１は、それらの表示内容をすぐに表示できるように、これらの内容を組み合わせた頁を表示するように作られた読取コード６を読取コード作成手段７に作成して常に更新するようになっている。
【００３０】
ダイレクトメール５発送時には、メイン手段１からの指示を受けた読取コード作成手段７が、カメラ、スキャナ、リーダ等でスキャンすると読取コード６毎の表示内容を表示させる頁に推移させるＵＲＬを表示させる読取コード６を作成する。この実施の形態では、読取コード６として、ＱＲコード（登録商標）を作成するように構成されている。これらの読取コード６は、個人毎にメイン手段１に保存されており、当該データに基づき、ダイレクトメール５作成時に個人毎にダイレクトメール５に異なる読取コード６を印刷する。
【００３１】
そして、この読取コード６付きのダイレクトメール５を作成して、各個人に送付する。ダイレクトメール５が送付された個人は手元のスマホ等の端末２に設けられたＱＲコード（登録商標）リーダ等の読取手段３で当該読取コード６をスキャンし、インターネットを介してメイン手段１からその読取コード６に合わせた表示内容の頁のＵＲＬが提供され、端末２のブラウザ手段４で個人毎にカスタマイズされた表示内容を表示すると共に当該個人の閲覧履歴が更新される。また、その後、当該個人がさらに続けて閲覧した閲覧履歴、購入履歴、各頁に対する滞在時間等は読取コード６に対して記憶され、メイン手段１において更新されて保存される。そして、次にダイレクトメール５を送付するとなったときには、更新された当該情報を基に表示内容が決定される。これを繰り返し行い、個人毎の趣向パターンをより正確に把握した広告表示を行うことができるようになるものである。
【００３２】
以上説明したように、この実施の形態では、ダイレクトメール５に個人の趣向パターンに合わせて作成された読取コード６を付すことで、当該読取コード６を読み取って個人用にカスタマイズされた内容の情報を表示することができる。その結果、ダイレクトメール５自体は個人毎に変更しなくても、個人毎に合わせた読取コード６を付すだけで、個人毎に合わせた内容の情報をそれぞれの個人に提供することができ、効率的かつコストも抑えた形で個人に合わせた広告サービス等の情報を提供することができる。
【００３３】
また、この実施の形態によれば、読取コード６としてＱＲコード（登録商標）を付すことで、多くの情報を小さなコードに入れ込むことができ、より効率的に個人毎に合わせた内容の情報をそれぞれの個人に提供することができる。
【００３４】
また、この実施の形態によれば、個人のＷｅｂ閲覧履歴とネットにおける購入履歴を参照して、個人の趣向パターンを特定して表示内容を決定することで、より詳細な情報を得た上で個人毎に合わせた内容の情報をそれぞれの個人に提供することができる。
【００３５】
また、この実施の形態によれば、表示内容が、個人の趣向パターンに基づいて選択された複数のコンテンツを組み合わせて表示する内容となっていることで、より個人毎に合わせた内容の情報をそれぞれの個人に提供することができる。
【００３６】
また、この実施の形態によれば、読取コード６を読み取って表示された表示内容を閲覧した履歴を記憶して、個人の表示内容を更新することで、個人毎の趣向パターンをさらに特定した上で、表示内容を決定することができ、さらに個人毎に合わせた内容の情報をそれぞれの個人に提供することができる。
【００３７】
なお、本発明の「読取表示システム」は、前記した実施の形態のようなものに限らず、他の構成、他の使用状況にも適用できる。
【００３８】
例えば、この発明は、前記した実施の形態のようなインターネット上のサイトや頁を個人毎に異ならせて見せる場合の他、個人毎に異なる内容の動画を見せる場合にも使用することができる。
【００３９】
また、ＡＩ（人工知能）機能を利用して、個人の履歴等から個人毎の表示内容を決定するようになっていても良い。
【００４０】
また、読取コードとしては、前記したＱＲコード（登録商標）に限るものではなく、他の適宜の読取コード、例えば他の適宜の二次元コードや適宜の一次元コード、適宜の三次元コード等を用いるようになっていても良い。
【００４１】
また、読取コードを個人毎に作成すると共に、ダイレクトメールの表示も個人毎に変化させて作成するようになっていても良い。
【００４２】
また、前記した実施の形態では、この発明を郵送や電子メール等のダイレクトメールの発送に使用する場合を例に採って説明したが、この発明は、他の種類の配布物を配達等するためのシステムにも適用できる。すなわち、この発明の個人毎に内容の異なる読取コードは、ダイレクトメール以外の配布物に付して発送するようになっていても良い。
【符号の説明】
【００４３】
１  メイン手段
２  端末
３  読取手段
４  ブラウザ手段
５  ダイレクトメール
６  読取コード
７  読取コード作成手段
【図１】
2020071796.tif 000003
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
ダイレクトメールに付される読取コードを作成する読取コード作成手段と、
該読取コードを読み取って情報を取り込む読取手段と、
該読取手段で読み取った前記情報に基づいて表示内容を決定するメイン手段と、
該メイン手段で決定された表示内容を表示するブラウザ手段と、
を有する読取表示システムであって、
前記メイン手段は、予め用意された複数の表示内容の中から、個人の趣味や嗜好に応じたパターンに基づいて、該個人に適切な表示内容を決定し、当該個人に適切な表示内容の情報を指定するように構成された前記読取コードを作成するように、前記読取コード作成手段に指示するようになっていることを特徴とする読取表示システム。
【請求項２】
前記読コードは、ＱＲコード（登録商標）であることを特徴とする請求項１に記載の読取表示システム。
【請求項３】
前記表示内容は、前記個人のＷｅｂ閲覧履歴とネットにおける購入履歴を参照して、前記個人の趣味や嗜好に応じたパターンを特定して決定するように構成されていることを特徴とする請求項１又は２に記載の読取表示システム。
【請求項４】
前記表示内容は、前記個人の趣味や嗜好に応じたパターンに基づいて選択された複数のコンテンツを組み合わせて表示する内容となっていることを特徴とする請求項１乃至３の何れか一項に記載の読取表示システム。
【請求項５】
前記メイン手段は、前記読取コードを読み取って表示された前記表示内容を閲覧した履歴を記憶しておき、当該閲覧履歴に基づいて、前記個人の前記表示内容を更新するように構成されていることを特徴とする請求項１乃至４の何れか一項に記載の読取表示システム。
【手続補正２】
【補正対象書類名】明細書
【補正対象項目名】０００７
【補正方法】変更
【補正の内容】
【０００７】
かかる課題を解決するために、請求項１の発明は、ダイレクトメールに付される読取コードを作成する読取コード作成手段と、該読取コードを読み取って情報を取り込む読取手段と、該読取手段で読み取った前記情報に基づいて表示内容を決定するメイン手段と、該メイン手段で決定された表示内容を表示するブラウザ手段と、を有する読取表示システムであって、前記メイン手段は、予め用意された複数の表示内容の中から、個人の趣味や嗜好に応じたパターンに基づいて、該個人に適切な表示内容を決定し、当該個人に適切な表示内容の情報を指定するように構成された前記読取コードを作成するように、前記読取コード作成手段に指示するようになっている読取表示システムとしたことを特徴とする。
【手続補正３】
【補正対象書類名】明細書
【補正対象項目名】０００９
【補正方法】変更
【補正の内容】
【０００９】
また、請求項３の発明は、請求項１又は２に記載の構成に加えて、前記表示内容は、前記個人のＷｅｂ閲覧履歴とネットにおける購入履歴を参照して、前記個人の趣味や嗜好に応じたパターンを特定して決定するように構成されている読取表示システムとしたことを特徴とする。
【手続補正４】
【補正対象書類名】明細書
【補正対象項目名】００１０
【補正方法】変更
【補正の内容】
【００１０】
また、請求項４の発明は、請求項１乃至３の何れか一項に記載の構成に加えて、前記表示内容は、前記個人の趣味や嗜好に応じたパターンに基づいて選択された複数のコンテンツを組み合わせて表示する内容となっている読取表示システムとしたことを特徴とする。
【手続補正５】
【補正対象書類名】明細書
【補正対象項目名】００１２
【補正方法】変更
【補正の内容】
【００１２】
請求項１の発明によれば、ダイレクトメールに個人の趣味や嗜好に応じたパターンに合わせて作成された読取コードを付すことで、当該読取コードを読み取って個人用にカスタマイズされた内容の情報を表示することができる。その結果、ダイレクトメール自体は個人毎に変更しなくても、個人毎に合わせた読取コードを付すだけで、個人毎に合わせた内容の情報をそれぞれの個人に提供することができ、効率的かつコストも抑えた形で個人に合わせた広告サービス等の情報を提供することができる。
【手続補正６】
【補正対象書類名】明細書
【補正対象項目名】００１４
【補正方法】変更
【補正の内容】
【００１４】
請求項３の発明によれば、個人のＷｅｂ閲覧履歴とネットにおける購入履歴を参照して、個人の趣味や嗜好に応じたパターンを特定して表示内容を決定することで、より詳細な情報を得た上で個人毎に合わせた内容の情報をそれぞれの個人に提供することができる。
【手続補正７】
【補正対象書類名】明細書
【補正対象項目名】００１５
【補正方法】変更
【補正の内容】
【００１５】
請求項４の発明によれば、表示内容が、個人の趣味や嗜好に応じたパターンに基づいて選択された複数のコンテンツを組み合わせて表示する内容となっていることで、より個人毎に合わせた内容の情報をそれぞれの個人に提供することができる。
【手続補正８】
【補正対象書類名】明細書
【補正対象項目名】００１６
【補正方法】変更
【補正の内容】
【００１６】
請求項５の発明によれば、読取コードを読み取って表示された表示内容を閲覧した履歴を記憶して、個人の表示内容を更新することで、個人毎の趣味や嗜好に応じたパターンをさらに特定した上で、表示内容を決定することができ、さらに個人毎に合わせた内容の情報をそれぞれの個人に提供することができる。
【手続補正９】
【補正対象書類名】明細書
【補正対象項目名】００２３
【補正方法】変更
【補正の内容】
【００２３】
また、この実施の形態の読取表示システムは、サーバ装置等のメイン手段１がダイレクトメール５の発送相手である各個人のインターネット上での購買履歴やＷｅｂ閲覧履歴、特定のサイトへのアクセス回数、アクセス時間等を参照し、それらをスコアリングして各個人の趣味や嗜好に応じたパターンを解析して、個人毎に趣味や嗜好に応じたパターンを踏まえた表示内容を作成するようになっている。また、メイン手段１は、それらの表示内容をすぐに表示できるように、これらの内容を組み合わせた頁を表示するように作られた読取コード６を読取コード作成手段７に作成させるようになっている。
【手続補正１０】
【補正対象書類名】明細書
【補正対象項目名】００２６
【補正方法】変更
【補正の内容】
【００２６】
なお、ダイレクトメール５に付された読取コード６は個人の趣味や嗜好に応じたパターンに合わせて作成された個人毎に異なるもの（個人毎に専用のもの）であれば、表示内容を特定するものでなくても良い。すなわち、個人毎に作成された読取コード６をダイレクトメール５が届いた日に読み込むと、メイン手段１が当該日に行われているバーゲンセールを告知した方が良いと判断して、当該日にバーゲンセールをやっていることを知らせる内容を含む頁を表示し、後日バーゲンセールが終了した後で同じ読取コード６を読み込むと、メイン手段１がバーゲンセールのお知らせを除いて、個人の趣味や嗜好に応じたパターンに沿った異なるコンテンツを含む頁を表示する、というように日にちや種々の事情に応じて同じ読取コード６から異なる内容の頁を表示するようになっていても良い。また、履歴等の蓄積によって個人の趣味や嗜好に応じたパターンが変化したとメイン手段１が判断した場合には、表示する内容をまた異ならせて、変化した趣味や嗜好に応じたパターンに合わせた内容の頁を表示するようになっていても良い。また、住所や氏名に変更があったときにも、当該変更に合わせて表示内容を変化させるようにしても良い。
【手続補正１１】
【補正対象書類名】明細書
【補正対象項目名】００２７
【補正方法】変更
【補正の内容】
【００２７】
また、逆に読取コード６の表示内容が、読取コード６毎に特定されるようになっていても良い。この場合には、ダイレクトメール５に付された読取コード６はいつ読み込んでも同じ表示内容の頁に飛ぶようになっており、趣味や嗜好に応じたパターンの変化やバーゲン情報等の反映後の表示内容の変化は、次のダイレクトメール５に付される更新後の読取コード６で行われるようになる。
【手続補正１２】
【補正対象書類名】明細書
【補正対象項目名】００２９
【補正方法】変更
【補正の内容】
【００２９】
この実施の形態の読取表示システムでは、サーバ装置等のメイン手段１がダイレクトメール５の発送相手である各個人のインターネット上での購買履歴やＷｅｂ閲覧履歴、特定のサイトへのアクセス回数、アクセス時間等を参照し、それらをスコアリングして各個人の趣味や嗜好に応じたパターンを解析して、個人毎に趣味や嗜好に応じたパターンを踏まえた表示内容を作成している。また、メイン手段１は、それらの表示内容をすぐに表示できるように、これらの内容を組み合わせた頁を表示するように作られた読取コード６を読取コード作成手段７に作成して常に更新するようになっている。
【手続補正１３】
【補正対象書類名】明細書
【補正対象項目名】００３２
【補正方法】変更
【補正の内容】
【００３２】
以上説明したように、この実施の形態では、ダイレクトメール５に個人の趣味や嗜好に応じたパターンに合わせて作成された読取コード６を付すことで、当該読取コード６を読み取って個人用にカスタマイズされた内容の情報を表示することができる。その結果、ダイレクトメール５自体は個人毎に変更しなくても、個人毎に合わせた読取コード６を付すだけで、個人毎に合わせた内容の情報をそれぞれの個人に提供することができ、効率的かつコストも抑えた形で個人に合わせた広告サービス等の情報を提供することができる。
【手続補正１４】
【補正対象書類名】明細書
【補正対象項目名】００３４
【補正方法】変更
【補正の内容】
【００３４】
また、この実施の形態によれば、個人のＷｅｂ閲覧履歴とネットにおける購入履歴を参照して、個人の趣味や嗜好に応じたパターンを特定して表示内容を決定することで、より詳細な情報を得た上で個人毎に合わせた内容の情報をそれぞれの個人に提供することができる。
【手続補正１５】
【補正対象書類名】明細書
【補正対象項目名】００３５
【補正方法】変更
【補正の内容】
【００３５】
また、この実施の形態によれば、表示内容が、個人の趣味や嗜好に応じたパターンに基づいて選択された複数のコンテンツを組み合わせて表示する内容となっていることで、より個人毎に合わせた内容の情報をそれぞれの個人に提供することができる。
【手続補正１６】
【補正対象書類名】明細書
【補正対象項目名】００３６
【補正方法】変更
【補正の内容】
【００３６】
また、この実施の形態によれば、読取コード６を読み取って表示された表示内容を閲覧した履歴を記憶して、個人の表示内容を更新することで、個人毎の趣味や嗜好に応じたパターンをさらに特定した上で、表示内容を決定することができ、さらに個人毎に合わせた内容の情報をそれぞれの個人に提供することができる。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
ダイレクトメールに付される読取コードを作成する読取コード作成手段と、
端末に設けられ、前記ダイレクトメールに付された前記読取コードを読み取って情報を取り込む読取手段と、
前記端末の前記読取手段で読み取った前記情報に基づいて表示内容を決定するメイン手段と、
前記端末に設けられ、前記メイン手段で決定された表示内容を表示するブラウザ手段と、
を有する読取表示システムであって、
前記メイン手段は、予め用意された複数の表示内容の中から、個人の趣味や嗜好に応じたパターンに基づいて、該個人に適切な表示内容を決定し、当該個人に適切な表示内容の情報を指定するように構成された前記読取コードを作成するように、前記読取コード作成手段に指示し、
当該指示に応じて前記読取コード作成手段で作成されて前記ダイレクトメールに付された前記読取コードを、前記端末の前記読取手段で読み取って前記メイン手段にアクセスし、該メイン手段で指示された表示内容を前記ブラウザ手段で表示するように構成されており、
前記メイン手段は、前記読取コードを読み取って表示された表示内容を閲覧した履歴を記憶しておき、当該閲覧履歴に基づいて前記個人の前記読取コードの表示内容を更新し、次のダイレクトメールに付された前記個人の前記読取コードの表示内容を更新された最新の状態に基づいて変更するように構成されていることを特徴とする読取表示システム。
【請求項２】
前記読取コードは、ＱＲコード（登録商標）であることを特徴とする請求項１に記載の読取表示システム。
【請求項３】
前記表示内容は、前記個人のＷｅｂ閲覧履歴とネットにおける購入履歴を参照して、前記個人の趣味や嗜好に応じたパターンを特定して決定するように構成されていることを特徴とする請求項１又は２に記載の読取表示システム。
【請求項４】
前記表示内容は、前記個人の趣味や嗜好に応じたパターンに基づいて選択された複数のコンテンツを組み合わせて表示する内容となっていることを特徴とする請求項１乃至３の何れか一項に記載の読取表示システム。
【手続補正２】
【補正対象書類名】明細書
【補正対象項目名】０００７
【補正方法】変更
【補正の内容】
【０００７】
かかる課題を解決するために、請求項１の発明は、ダイレクトメールに付される読取コードを作成する読取コード作成手段と、端末に設けられ、前記ダイレクトメールに付された前記読取コードを読み取って情報を取り込む読取手段と、前記端末の前記読取手段で読み取った前記情報に基づいて表示内容を決定するメイン手段と、前記端末に設けられ、前記メイン手段で決定された表示内容を表示するブラウザ手段と、を有する読取表示システムであって、前記メイン手段は、予め用意された複数の表示内容の中から、個人の趣味や嗜好に応じたパターンに基づいて、該個人に適切な表示内容を決定し、当該個人に適切な表示内容の情報を指定するように構成された前記読取コードを作成するように、前記読取コード作成手段に指示し、当該指示に応じて前記読取コード作成手段で作成されて前記ダイレクトメールに付された前記読取コードを、前記端末の前記読取手段で読み取って前記メイン手段にアクセスし、該メイン手段で指示された表示内容を前記ブラウザ手段で表示するように構成されており、前記メイン手段は、前記読取コードを読み取って表示された表示内容を閲覧した履歴を記憶しておき、当該閲覧履歴に基づいて前記個人の前記読取コードの表示内容を更新し、次のダイレクトメールに付された前記個人の前記読取コードの表示内容を更新された最新の状態に基づいて変更するように構成されている読取表示システムとしたことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項１の発明によれば、ダイレクトメールに個人の趣味や嗜好に応じたパターンに合わせて作成された読取コードを付すことで、当該読取コードを読み取って個人用にカスタマイズされた内容の情報を表示することができる。その結果、ダイレクトメール自体は個人毎に変更しなくても、個人毎に合わせた読取コードを付すだけで、個人毎に合わせた内容の情報をそれぞれの個人に提供することができ、効率的かつコストも抑えた形で個人に合わせた広告サービス等の情報を提供することができる。
また、請求項１の発明によれば、読取コードを読み取って表示された表示内容を閲覧した履歴を記憶して、個人の表示内容を更新することで、個人毎の趣味や嗜好に応じたパターンをさらに特定した上で、表示内容を決定することができ、さらに個人毎に合わせた内容の情報をそれぞれの個人に提供することができる。
【手続補正５】
【補正対象書類名】明細書
【補正対象項目名】００１６
【補正方法】削除
【補正の内容】